(57)【要約】【課題】ラップシートを巻いたロール体がロールシート収納箱から飛び出すことがなく、しかも、ロールシート収納箱に疵を付けることなく、ロール体をロールシート収納箱から取り出すことも可能なロールシート飛び出し防止具を提供する。  【解決手段】中央孔１７を有してロール状に巻かれたラップシート１３のロール体１４を収納し、外側にはラップシート１３を切断するカッター２７が設けられたロールシート収納箱１５の長手方向両側の内側にそれぞれ配置して使用するロールシート飛び出し防止具１０であって、薄板材からなって、縦横の寸法がそれぞれロール体１４の直径より大きいか同一の四角形の板材１１と、板材１１の中央に固着され、ロール体１４の中央孔１７に遊嵌する短尺の軸受体１２とを有している。【選択図】図１
0003137783.tif 000002
【実用新案登録請求の範囲】
【請求項１】
中央孔を有してロール状に巻かれたラップシートのロール体を収納し、外側には前記ロール体から巻き解いた前記ラップシートを切断するカッターが設けられ、開閉蓋付きで断面四角形のロールシート収納箱の長手方向両側の内側にそれぞれ配置して使用するロールシート飛び出し防止具であって、
薄板材からなって、縦横の寸法がそれぞれ前記ロール体の直径より大きいか同一の四角形の板材と、前記板材の中央に固着され、前記ロール体の中央孔に遊嵌する短尺の軸受体とを有していることを特徴とするロールシート飛び出し防止具。
【請求項２】
請求項１記載のロールシート飛び出し防止具において、前記軸受体は断面円形であって、前記板材に固着される基部よりその先部が縮径していることを特徴とするロールシート飛び出し防止具。
【請求項３】
請求項２記載のロールシート飛び出し防止具において、前記軸受体の長さは、その基部の直径の０．１〜２倍の範囲であることを特徴とするロールシート飛び出し防止具。
【請求項４】
請求項１〜３のいずれか１項に記載のロールシート飛び出し防止具において、前記板材及び前記軸受体は、紙材又は合成樹脂によって構成されていることを特徴とするロールシート飛び出し防止具。
【考案の詳細な説明】
【技術分野】
【０００１】
本考案は、ロール状に巻かれたラップシートのロール体が、巻き解いたラップシートを切断するカッターが外側に設けられた開閉蓋付きのロールシート収納箱から、使用時に飛び出さないようにするロールシート飛び出し防止具に関する。なお、ここでラップシートには、合成樹脂製のフィルム、アルミニウム等の金属箔、長尺紙類を含むものである。
【背景技術】
【０００２】
食品等を仮包装するラップシートは、ロール状となって板状の紙材で作られた収納ケースに収納され、使用時にはラップシートを引き出して、収納ケースの一部に設けられた刃によって所定長さに切断して使用されている。ところが、ラップシートを収納ケースから取り出す場合に、ロール状に巻かれたラップシートが収納ケースから飛び出すことがあるので、これを防止するため、例えば、特許文献１に記載のように、収納ケースの両側の一部（軸受部用起立片）を内側に折り込んで、その先部をラップシートのロール体の中央孔に挿入するものが提案されている。
【０００３】
【特許文献１】登録実用新案第３１１１８０１号公報
【考案の開示】
【考案が解決しようとする課題】
【０００４】
しかしながら、特許文献１に記載のラップフィルム収納ケースは、収納ケースの両側壁の一部を押し潰すので、収納ケースの外観が悪くなるほか、ロール体の中央孔に挿入された軸受部用起立片の端部が紙管の内側に当たり、ロール体の回転を邪魔してロール体が回りにくくなるという問題があった。このため、ラップフィルム（ラップシート）に急激な力をかけて繰り返し引っ張ると、軸受部用起立片が徐々に破れて分離し機能を果たさなくなることもあった。
そこで、収納ケースの側壁の中央に軸を設けて、ロール体を収納ケースに回転可能に保持することも考えられるが、ロール体を収納ケースに入れる場合、収納ケースを部分的に分解又は展開した状態での複雑な作業を行う必要がある。
また、シート（例えば、アルミ箔又は紙）によっては、長尺のものが必要な場合があり、ロール体が収納ケースに配置されている状態で、巻き解くと極めて手間であり、この場合はロール体を収納ケースから出す必要があるが、一旦収納ケースに入れたロール体は、容易に取り出すことができないという問題があった。
【０００５】
本考案はかかる事情に鑑みてなされたもので、対となって使用し、ラップシートを巻いたロール体がロールシート収納箱から飛び出すことがなく、しかも、ロールシート収納箱に疵を付けることなく、更には必要に応じてロール体をロールシート収納箱から取り出すことも可能なロールシート飛び出し防止具を提供することを目的とする。
【課題を解決するための手段】
【０００６】
前記目的に沿う請求項１記載のロールシート飛び出し防止具は、中央孔を有してロール状に巻かれたラップシートのロール体を収納し、外側には前記ロール体から巻き解いた前記ラップシートを切断するカッターが設けられ、開閉蓋付きで断面四角形のロールシート収納箱の長手方向両側の内側にそれぞれ配置して使用するロールシート飛び出し防止具であって、
薄板材からなって、縦横の寸法がそれぞれ前記ロール体の直径より大きいか同一の四角形の板材と、前記板材の中央に固着され、前記ロール体の中央孔に遊嵌する短尺の軸受体とを有している。ここで、ロール体の直径は原則として新品時のロール体の直径をいう。
【０００７】
また、請求項２記載のロールシート飛び出し防止具は、請求項１記載のロールシート飛び出し防止具において、前記軸受体は断面円形であって、前記板材に固着される基部よりその先部が縮径している。
【０００８】
請求項３記載のロールシート飛び出し防止具は、請求項２記載のロールシート飛び出し防止具において、前記軸受体の長さは、その基部の直径の０．１〜２（より好ましくは、０．２〜１）倍の範囲である。軸受体の長さがこれより短いと、軸受体の役目が果たせず、長いと邪魔になる。
【０００９】
そして、請求項４記載のロールシート飛び出し防止具は、請求項１〜３のいずれか１項に記載のロールシート飛び出し防止具において、前記板材及び前記軸受体は、紙材又は合成樹脂によって構成されている。
【考案の効果】
【００１０】
請求項１〜４記載のロールシート飛び出し防止具は、薄板材からなって、縦横の寸法がそれぞれロール体の直径より大きいか同一の四角形の板材と、板材の中央に固着され、ロール体の中央孔に遊嵌する短尺の軸受体とを有しているので、これを一組用意し、ロール体の中央孔に装着した状態で、ロールシート収納箱の長手方向両側の内側に入れると、ロール体が軸受体によって支持されることになる。この状態で、ロール体の最外側のラップシートを斜め方向に引くと、板材がロールシート収納箱に拘束されて、ロール体がロールシート収納箱から飛び出さない。
一方、ロールシート収納箱の開口部を下にすると、重力で両側にロールシート飛び出し防止具が付いたロール体がロールシート収納箱から出てくる。
また、ロールシート飛び出し防止具はロールシート収納箱の中に配置されているので、箱を疵付けることがなく、使用が終われば取り外して再度別のロールシート収納箱に使用できる。
【００１１】
特に、請求項２記載のロールシート飛び出し防止具は、軸受体が断面円形であって、板材に固着される基部よりその先部が縮径しているので、ロール体の中央孔に容易に入り、更に、この軸受体は基部しかロール体の中央孔に当たっていないので、摩擦が少なく回転し易い。
【００１２】
請求項３記載のロールシート飛び出し防止具は、軸受体の長さが、その基部の直径の０．１〜２倍の範囲であるので、コンパクトに構成できる。
【００１３】
そして、請求項４記載のロールシート飛び出し防止具は、板材及び軸受体は、紙材又は合成樹脂によって構成されているので、安価に製造できる。
【考案を実施するための最良の形態】
【００１４】
続いて、添付した図面を参照しつつ、本考案を具体化した実施の形態につき説明し、本考案の理解に供する。
ここで、図１は本考案の一実施の形態に係るロールシート飛び出し防止具の使用説明図、図２（Ａ）、（Ｂ）はそれぞれ同ロールシート飛び出し防止具の正面図及び平面図、図３は同ロールシート飛び出し防止具の使用状態の説明図である。
【００１５】
本考案の一実施の形態に係るロールシート飛び出し防止具１０は、図２（Ａ）、（Ｂ）に示すように、薄板材からなる四角形の板材１１と、板材１１の片側中央に固着された短尺で断面円形の軸受体１２とを有している。以下、これらについて詳しく説明する。
【００１６】
板材１１は例えば０．１〜１ｍｍの紙材又は合成樹脂シートからなって、縦幅ｗ及び横幅ｈはそれぞれ図１に示すように、ラップシート１３のロール体１４を収納するロールシート収納箱１５の長手方向両側の内側に入る寸法となっている。従って、板材１１はロールシート収納箱１５の横断面形状より小さくなっており、縦幅ｗ及び横幅ｈはロール体１４の直径より大きいか、同一となっている。
なお、ロール体１４はこの実施の形態においては、ラップシート１３の一例である薄い合成樹脂シート（又は、アルミ箔）を所定の直径の紙管１６（図３参照）に巻いたものである。従って、紙管１６の中央に中央孔１７を有する。
【００１７】
軸受体１２は紙材又は合成樹脂によって構成され、板材１１と一体となって板材１１の片側に設けられており、基部の直径ｄが中央孔１７の内径の例えば０．９５〜０．８倍となって、中央孔１７に遊嵌し、かつ図２（Ａ）に示すように中間位置より先側が徐々にその直径が小さくなっている。軸受体１２の長さは、その直径ｄの例えば０．１〜２倍（より好ましくは、０．２〜０．７倍）程度となっている。
【００１８】
ロールシート飛び出し防止具１０全体を合成樹脂で構成する場合には、四角形の板材の中央を押し出して軸受体を形成してもよい。この場合、軸受体は中空となって、板材の中央を他側から見た場合、凹みが形成されていることになる。
【００１９】
ロールシート収納箱１５は、図１、図３に示すように、厚紙からなって、底板部１９、これに連続する側板部２０、２１、一方側の側板部２１の上端に折り曲げ可能に連続する天井蓋板部２２、天井蓋板部２２の先側に折り曲げ可能に連続する補助蓋板部２３を有し、更に長手方向両端には端板部２４、２５を備えて、開閉蓋付きの長箱状となっている。そして、この断面四角形のロールシート収納箱１５の内部はロール体１４が完全に埋没状態で嵌入できる大きさとなっている。従って、ロールシート収納箱１５の断面の内寸は、未使用（即ち、新品）のロール体１４の直径より大きく、例えば、ロール体１４の直径の１．１倍より小さくなっている。
【００２０】
底板部１９の外側であって、一側、即ち、ロールシート収納箱１５の天井蓋板部２２を閉じた場合、補助蓋板部２３が位置する側には、巻き解いたラップシート１３を切断するカッター２７が設けられている。なお、この実施の形態では、カッター２７は底板部１９に設けられているが、図３の２点鎖線で示すように、補助蓋板部２３の先側に設けられている場合もある。
【００２１】
続いて、ロールシート飛び出し防止具１０の使用方法及びその作用について説明する。
まず、ロールシート飛び出し防止具１０を２つ用意し、これらをロール体１４の両側の中央孔１７に軸受体１２を嵌め込んだ状態で、ロールシート収納箱１５に納める。次に、ロール体１４に巻かれているラップシート１３の端部を解いて、図３のようにロールシート収納箱１５の外に引き出す。この場合、天井蓋板部２２及び補助蓋板部２３は開いている。
【００２２】
この状態で、ラップシート１３を図３のＡ方向に引くと、ロール体１４に回転トルクがかかると共に、ロール体１４に対してＢ方向に示すような力が働く。しかしながら、ロール体１４は、ロールシート飛び出し防止具１０によって保持され、ロールシート飛び出し防止具１０の板材１１の両側端部はロールシート収納箱１５の内側に接するので、ロール体１４が上方向に出ようとするのをその摩擦力によって制することになる。従って、ロール体１４は軸受体１２をほぼ中心にして回転し、円滑にラップシート１３を解くことになる。
【００２３】
なお、ロール体１４をロールシート収納箱１５から取り出す場合には、ロールシート収納箱１５を立てた状態、即ち、天井蓋板部２２が上にある状態では、ロール体１４を取り出すことは困難であるが、ロールシート収納箱１５を上下逆にすることによってロールシート飛び出し防止具１０と共にロール体１４を取り出すことができる。
【００２４】
前記実施の形態においては、具体的な数値を用いて説明したが、本考案はこの数字に限定されるものではなく、本考案の要旨を変更しない範囲での数値の変更、形状の変更は可能である。
【図面の簡単な説明】
【００２５】
【図１】本考案の一実施の形態に係るロールシート飛び出し防止具の使用説明図である。
【図２】（Ａ）、（Ｂ）はそれぞれ同ロールシート飛び出し防止具の正面図及び平面図である。
【図３】同ロールシート飛び出し防止具の使用状態の説明図である。
【符号の説明】
【００２６】
１０：ロールシート飛び出し防止具、１１：板材、１２：軸受体、１３：ラップシート、１４：ロール体、１５：ロールシート収納箱、１６：紙管、１７：中央孔、１９：底板部、２０、２１：側板部、２２：天井蓋板部、２３：補助蓋板部、２４、２５：端板部、２７：カッター
【図１】
0003137783.tif 000003
【図２】
0003137783.tif 000004
【図３】
0003137783.tif 000005